(57)【要約】【課題】機械構造的にシンプルでありながら、湛水の僅かな水位変動を検出することができ、検出した水位変動に連動して可及的速やかに水田へ給水・止水をすることができ、湛水作物の生育に適切な適正水位を自動的に維持管理可能とする水田水位調節装置を提供する。【解決手段】水路パイプの開口部に開口付勢した蓋体を設け、蓋体には開閉操作用のワイヤ先端を連結し、該ワイヤ基端は水田に浮遊するフロート樹脂板に連動連結具を介して連結すると共に、連動連結具は、フロート樹脂板の略中央部に立設固定したガイドパイプと、フロート樹脂板の下方圃場に立設固定しガイドパイプ内部に下方から遊嵌したアンカ―ボルトと、ワイヤ基端をフロート樹脂板の浮沈に応じて緊張弛緩するためにガイドパイプに付設したワイヤ固定具と、より構成してなることとした。【選択図】図１
2018170978.tif 000002
【特許請求の範囲】
【請求項１】
水路パイプの開口部に開口付勢した蓋体を設け、蓋体には開閉操作用のワイヤ先端を連結し、該ワイヤ基端は水田に浮遊するフロート樹脂板に連動連結具を介して連結すると共に、
連動連結具は、
フロート樹脂板の略中央部に立設固定したガイドパイプと、
フロート樹脂板の下方圃場に立設固定しガイドパイプ内部に下方から遊嵌したアンカ―ボルトと、
ワイヤ基端をフロート樹脂板の浮沈に応じて緊張弛緩するためにガイドパイプに付設したワイヤ固定具と、より構成したことを特徴とする水田水位調節装置。
【請求項２】
アンカ―ボルトには、フロート樹脂板の下方においてワイヤを略直角方向に転換するための遊動輪を設けたことを特徴とする請求項１に記載の水田水位調節装置。
【発明の詳細な説明】
【技術分野】
【０００１】
本発明は、水田水位調節装置に関する。
【背景技術】
【０００２】
従来、稲、やイグサなどの湛水作物が植栽された水田において、湛水の低下水位を検出して自動的に灌漑用水を給水すると共に湛水が一定水位になった段階で自動的に止水し、湛水作物の生育に適した湛水水位を維持する自動給水装置が提案されている。
【０００３】
例えば特許文献１に係る自動給水装置は、側部に連通孔を有して灌漑用水の給水管に連結設置する内筒と、内筒の連通孔と対応する側部に連通孔を有して内筒に外嵌する外筒と、外筒の外部に基端を接続して湛水に浮遊させるフロートと、で構成している。
【０００４】
かかる自動給水装置によれば、低下水位に合わせてフロート位置が下方変位するに伴い外筒を一定方向に回動させて両筒側部の連通孔同士を連通して給水する一方、上昇水位に合わせてフロート位置が上方変位するに伴い外筒を逆方向に回動させて互いの連通孔同士を閉塞して止水し、水田の湛水を一定水位に維持することができるとしている。
【先行技術文献】
【特許文献】
【０００５】
【特許文献１】特開２００２−３３５７８１号
【発明の概要】
【発明が解決しようとする課題】
【０００６】
一般的に、湛水作物の植栽された水田の湛水は湛水作物による成長吸水作用や日照時間、湿度、風などの気象条件による水分蒸発作用により常時減少傾向にある。また、水田における湛水作物の生育には、一定の水位を保持することにより湛水作物に水分や養分の補給と共に一定濃度の酸素を供給することが重要とされる。
【０００７】
このような湛水作物の生育に適した一定含有酸素濃度を有する適正水位を維持するためには、約１〜２cmレベルの微量な水位変動に連動した給水と止水の湛水作業を行う必要がある。
【０００８】
しかしながら上記従来の自動給水装置は、水田の低下水位や上昇水位の僅かな水位変動を捉えることができず、湛水作業を水位変動に連動した適切な給水制御を行うことができない問題があった。
【０００９】
すなわち従来の自動給水装置のフロートの浮沈動作は、連通孔の開閉をするためフロートの浮力を内筒中心とした外筒の回動動力に変換する機構上、外筒や内筒を中心とした円弧状の軌道を描く上下動作となる。
【００１０】
従って、従来の自動給水装置は、水面に対するフロートの接触面を水位変動に伴って偏奇当接させることとなるため、水面にフロート接触面が均一に接触せず、フロートの部位によっては変動する水田の水位によって異なる浮力を生じさせ、更には、水位とフロートとの接触面が水平面ではなく且つ大きくとれないことから、５〜10cmの大きな水位変動は感知することが可能であるが約１〜２cmといった微妙な水位変動を感知することができない。
【００１１】
このため、広大な水田の湛水作業において、検出水位が不正確なために本来の給水が充分行えず圃場の水位が必要以上に減少したり、或いは余分な湛水のために水位が以上に増加したりするなど、水位変動の不正確な検出のために正確な湛水タイミングと湛水量に不一致が生じ、湛水作物の生育に適切な微妙な湛水作業を行うことができず水稲生育に重大な障害を与えてしまう虞があった。
【００１２】
本発明は、かかる事情に鑑みてなされたものであって、機械構造的にシンプルでありながら、湛水の僅かな水位変動を検出することができ、検出した水位変動に連動して可及的速やかに水田へ給水・止水をすることができ、湛水作物の生育に適切な適正水位を自動的に維持管理可能とする水田水位調節装置を提供するものである。
【課題を解決するための手段】
【００１３】
この本発明は、水路パイプの開口部に開口付勢した蓋体を設け、蓋体には開閉操作用のワイヤ先端を連結し、該ワイヤ基端は水田に浮遊するフロート樹脂板に連動連結具を介して連結すると共に、連動連結具は、フロート樹脂板の略中央部に立設固定したガイドパイプと、フロート樹脂板の下方圃場に立設固定しガイドパイプ内部に下方から遊嵌したアンカ―ボルトと、ワイヤ基端をフロート樹脂板の浮沈に応じて緊張弛緩するためにガイドパイプに付設したワイヤ固定具と、より構成したことを特徴とする水田水位調節装置を提供せんとするものである。
【００１４】
また、アンカ―ボルトには、フロート樹脂板の下方においてワイヤを略直角方向に転換するための遊動輪を設けたことを特徴とする。
【発明の効果】
【００１５】
請求項１の発明によれば、水路パイプの開口部に開口付勢した蓋体を設け、蓋体には開閉操作用のワイヤ先端を連結し、該ワイヤの基端は水田に浮遊するフロート樹脂板に連動連結具を介して連結すると共に、連動連結具は、フロート樹脂板の略中央部に立設固定したガイドパイプと、フロート樹脂板の下方圃場に立設固定し、ガイドパイプ内部に下方から遊嵌したアンカ―ボルトと、ワイヤ基端をフロート樹脂板の浮沈に応じて緊張弛緩するためにガイドパイプに付設したワイヤ固定具と、より構成したため、フロート樹脂板により水田の湛水水位の水面に対する接触面を可及的拡大して僅かな低下水位や上昇水位の水位変動を確実に感知できるフロート樹脂板の浮沈動作を可能とする。
【００１６】
かかるフロート樹脂板の浮沈動作は、フロート樹脂板の略中央部に立設固定したガイドパイプと、フロート樹脂板の下方圃場に立設固定してガイドパイプ内部に下方から遊嵌したアンカ―ボルトと、により略鉛直方向の上下動作に変換される。
【００１７】
ガイドパイプとアンカ―ボルトは、上下変動する水位に応じたフロートの上下浮沈動作、すなわち水位変動に伴ってフロート樹脂板に生じる上下変動浮力をワイヤの緊張・弛緩応力に変換して水路パイプ開口部の蓋体に確実に伝達する。
【００１８】
すなわち、ワイヤへ伝達された緊張・弛緩応力は水路パイプの開口部の蓋体に伝達されることで僅かな変動水位に連動した蓋体の開閉作動を実現することができる。つまり僅かな変動水位に連動して蓋体の開閉作動を生起し、水田湛水を自動的に一定水位に維持することを可能とする。
【００１９】
また、アンカ―ボルトには、フロート樹脂板の下方においてワイヤを略直角方向に転換するための遊動輪を設けたため、フロート樹脂板が水田浮遊中に風や水流で湛水面上で押し流されてアンカーボルトを中心に不用意に回転することでワイヤの捩じれが生じることを防止し、ワイヤの緊張方向をフロート樹脂板の下方位置で常時水路パイプ方向で略水平に保持し、フロート樹脂板の浮沈動作を正しく蓋体に伝達することで蓋体の開閉作動に転換することができる。
【図面の簡単な説明】
【００２０】
【図１】本実施形態に係る水田水位調節装置の設置状態を示す斜視図である。
【図２】本実施形態に係る水田水位調節装置の設置状態を示す断面図である。
【図３】本実施形態に係る水田水位調節装置の設置状態を示す平面図である。
【図４】本実施形態に係る水位調節管の軸方向視を示す説明図である。
【図５】本実施形態に係るフロート樹脂板とアンカ―ボルトの構成を示す断面図である。
【図６】本実施形態に係る連動連結具の構成を示す側断面図である。
【図７】本実施形態に係る水田水位調節装置の給水停止状態を示す側断面図である。
【図８】本実施形態に係る水田水位調節装置の給水作動状態を示す側断面図である。
【発明を実施するための形態】
【００２１】
本発明は、水路パイプの開口部に開口付勢した蓋体を設け、蓋体には開閉操作用のワイヤ先端を連結し、該ワイヤの基端は水田に浮遊するフロート樹脂板に連動連結具を介して連結すると共に、連動連結具は、フロート樹脂板の略中央部に立設固定したガイドパイプと、フロート樹脂板の下方圃場に立設固定し、ガイドパイプ内部に下方から遊嵌したアンカ―ボルトと、ワイヤ基端をフロート樹脂板の浮沈に応じて緊張弛緩するためにガイドパイプに付設したワイヤ固定具と、より構成したことを特徴とする水田水位調節装置を提供するものである。
【００２２】
以下、本実施形態に係る水田水位調節装置について、図面を参照をしながら具体的に説明する。図１は、水田水位調節装置の設置状態を示す斜視図である。また、図２は水田水位調節装置の設置状態を示す断面図、図３は水田水位調節装置の設置状態を示す平面図、図４は、軸方向視における水位調節管内部を示す説明図である。
【００２３】
本実施形態に係る水田水位調節装置Ａが設置される水田は、灌水により一定水位の湛水が可能であれば、その湛水容積や、圃場の面積において特に限定されるものではない。
【００２４】
図１に示すように、水田の畔近傍には、水田外側に沿って流れる用水路等１０３から水田内に灌漑用水を引き入れるための用水管１０２が、灌漑用水の水圧を損なわないように圃場や畔の法面に設けられている。
【００２５】
すなわち、水田は、圃場１０１の地下や畔の法面に埋設された用水管１０２を介して用水路等１０３と連通している。そして、本実施形態に係る水田水位調節装置Ａは、図１〜図３に示すように、水田内の用水管１０２近傍に設置している。
【００２６】
水田水位調節装置Ａは、図１〜図３に示すように、水路パイプ１の開口部１０に開口付勢した蓋体２を設け、蓋体２には開閉操作用のワイヤ３の先端３０を連結し、該ワイヤ３の基端３１は水田に浮遊するフロート樹脂板４に連動連結具５を介して連結して構成している。
【００２７】
水路パイプ１は、用水管１０２を介して用水を水田内に引き入れるＴ字状（３又状）の円筒管である。水路パイプ１は、筒状の水位調節管１１と、同水位調節管１１の略中央部から分岐した筒状の給水源接続管１２と、を備えている。なお、本実施形態にかかる水路パイプの内径は、約50〜150ｍｍとしている。
【００２８】
また、本実施形態の水路パイプ１は、Ｔ字管を採用しているが後述する水位調節機能を有するものであれば形状において限定されることはなく、例えばＬ字管を採用してもよい。
【００２９】
また、水路パイプ１の素材は、耐水性、耐久性、耐腐食性を有して圃場に配管できるものであればよく、例えば、ステンレス、炭素鋼等の金属製、塩化ビニール、架橋ポリエチレン、ポリブデン等の樹脂製のものを採用することができる。
【００３０】
給水源接続管１２は、水田に設けた用水管１０２の開口部と水密状に連結し、水路パイプ１内に用水管１０２からの用水を供給する。また、給水源接続管１２は、用水管１０２を介して水田に水路パイプ１を固定設置する。
【００３１】
図１〜図４に示すように、水位調節管１１の左右位置の外周には水路パイプ１を圃場に固定するためのパイプ固定金具１３が所定間隔を隔てて２つ設けられている。パイプ固定金具１３は、図４に示すように、上半部を水位調節管１１の外周面を囲繞する円弧帯状の固定部１３ａとし、下半部を螺旋状に形成したスパイラル部１３ｂとしている。
【００３２】
パイプ固定金具１３は、スパイラル部１３ｂを水田の圃場面に対して略垂直方向に螺入埋設すると共に、水位調節管１１周面を円弧帯状の固定部１３ａで囲繞することにより水路パイプ１を圃場１０１面に固定している。
【００３３】
水位調節管１１は、一端を閉塞し他端を開口部１０とし、開口部１０を蓋体２により開閉自在として水田への用水の給水・止水の調節を行う。
【００３４】
水位調節管１１の開口部１０は用水の吐水部として機能する。開口部１０には、蓋体２が開閉自在に設けられ、常時は開口付勢されている。蓋体２は、水位調節管１１の開口部１０に嵌着自在に形成されている。
【００３５】
水位調節管１１の閉塞端は、閉塞蓋７により水密状に閉塞固定されている。閉塞蓋７の略中央部には、図２〜図３に示すように、開閉ロッド６１を水位調節管１１内に挿通するためのロッド挿通孔７０を穿設している。
【００３６】
水位調節管１１の内開口部１０近傍には、蓋体２の開閉作動を行うための開閉機構が設けられている。開閉機構は、水位調節管１１内を横断する支持ステー６０と、支持ステー６０に支持された開閉ロッド６１と、蓋体２と支持ステー６０との間に介設した開口付勢バネ６２と、で構成している。
【００３７】
なお、開口付勢バネ６２は開閉ロッド６１に外嵌され蓋体２内側面と支持ステー６０との間に介在し、蓋体２を常時水位調節管１１の開口部１０から開蓋状態に付勢している。
【００３８】
支持ステー６０は、図３及び図４に示すように、その両端部を水位調節管１１の内周面に連設することにより水位調節管１１内に横断配設されている。該支持ステー６０の略中央部には、閉塞蓋７と対応する位置に、開閉ロッド６１を支持するためのロッド挿通孔６３が穿設されている。
【００３９】
開閉ロッド６１は、ステンレス製の金属杆であり水位調節管１１内でその軸線に沿うように支持ステー６０及び閉塞蓋７の各ロッド挿通孔６３、７０に挿通伸延され、その先端は蓋体２中央を挿通して突出端部に開度調節ナット８０を螺合し、しかも、開閉ロッド６１の基端は開閉操作用のワイヤ３の先端が連設されている。
【００４０】
開閉ロッド６１は支持ステー６０及び閉塞蓋７に支持されながら水位調節管１１内を蓋体２の開口付勢バネ６２につられて進退作動する。すなわち、蓋体２は、開口付勢バネ６２で付勢されているため開閉ロッド６１が前進することで開口部１０と蓋体２との間に吐水隙間８を形成して開蓋し、ワイヤ３の引張により開閉ロッド６１が後退することで吐水隙間８を閉塞して閉蓋する。
【００４１】
また、蓋体２前面から突出した開閉ロッド６１の先端部は螺旋ネジ状に形成しており、図１〜図３に示すように、蓋体２の前面に当接して吐水隙間８開度調節用の開度調節ナット８０が螺合されている。開度調節ナット８０は支持ステー６０に連設した蓋体２の位置調節を行うためのものであり、開度調節ナット８０の調節操作により蓋体２が変位して吐水隙間８の開度調節を可能としている。
【００４２】
次いで、水位センサ―として機能しながら圃場の水位の変動をワイヤに伝達するためのフロート樹脂板４と連動連結具５の関連機構について説明する。図５はフロート樹脂板とアンカ―ボルトの構成を示す側断面図、図６は連動連結具の構成を示す側断面図である。
【００４３】
フロート樹脂板４は、水田の水面に浮遊させて湛水の水位変動を検出する方形状の板状部材である。本実施形態に係るフロート樹脂板４は、面積を約１ｍ２、厚みを約4ｃｍとした方形板状の発泡スチロールで形成している。
【００４４】
なお、フロート樹脂板４の素材は、水に対して浮力を生じるものであればよく、例えば、発泡スチロールや発泡ポリプロピレン、発泡ポリエチレン等の固型浮力素材、樹脂フィルムで複数の気質を有する気体封入浮力素材を採用することができる。
【００４５】
フロート樹脂板４には、略中央部にガイドパイプ５０及びアンカ―ボルト９等により構成された連動連結具５が上下方向に配設され連動連結具５を介してワイヤ３と連動連設されている。
【００４６】
図１〜図３及び図５〜図６に示すように、連動連結具５は、フロート樹脂板４の略中央部に立設固定したガイドパイプ５０と、フロート樹脂板４の下方圃場に立設固定し、ガイドパイプ５０を支持するために該パイプ内部下方から遊嵌したアンカ―ボルト９と、フロート樹脂板４の浮沈に応じて緊張弛緩するワイヤ３の基端部分を支持するためにガイドパイプ５０周壁中途に付設したワイヤ固定具５２と、で構成している。
【００４７】
ガイドパイプ５０は、金属筒体であり、フロート樹脂板４の平板面略中央部に立設している。ガイドパイプ５０の上部周壁には、支持ステー５４を介してガイドパイプ５０の長手に沿って細長状のワイヤ固定具５２が付設されている。
【００４８】
支持ステー５４はガイドパイプ５０の上部周壁から水平に突設し、その略中央部にはワイヤ固定具５２を連結するための螺合孔５４ａを設け、螺合孔５４ａは上端にワイヤ操作部５５を形成したワイヤ調整螺杆５６を螺合垂設すると共に、その下端にはワイヤ３の基端を連結するためのワイヤ連結部５７を形成している。
【００４９】
ワイヤ調整螺杆５６は、ワイヤ３の長さを調節するリング状のワイヤ操作部５５を上端に有し、調整操作を行う場合はリング穴に横方向から操作棒を挿入回動することにより、操作棒とリング穴の接触部を支点、操作棒を掌握した把持部を力点にしてワイヤ調整螺杆５６回動作用させることでワイヤ調整螺杆５６を昇降してワイヤ３の長さの調整を行う。
【００５０】
すなわち、ワイヤ調整螺杆５６は、フロート樹脂板４から開閉ロッド６１基端に至るワイヤ３の長さ、すなわちワイヤ３の緊張力を微調整することにより最終的には長期間の使用によるワイヤ３の弛緩現象を矯正し、フロート樹脂板４の浮沈作動を正確にワイヤ３を介して開閉ロッド６１及び蓋体２に伝達できるように構成している。
【００５１】
ワイヤ調整螺杆５６は、支持ステー５４の螺合孔５４ａと螺合しワイヤ操作部５５の回動操作に伴って上下方向に昇降することによりワイヤ３の緊張作動を可能としている。
【００５２】
ワイヤ連結部５７には、ワイヤ３基端が連結固定され、ワイヤ調整螺杆５６の下端でワイヤ固定具５２を中心に360°回動可能に構成され、ワイヤ調整螺杆５６の緊張操作に伴うワイヤ３の捩じれ防止をしている。
【００５３】
また、フロート樹脂板４には、ガイドパイプ５０に隣接してワイヤ挿通孔４０が穿設されており、ワイヤ連結部５７に連結固定したワイヤ３をワイヤ挿通孔４０に貫通してフロート樹脂板４の裏面側へ導出し後述する遊動輪９３で略直角に方向転換して開閉ロッド６１基端方向へ伸延している。
【００５４】
アンカ―ボルト９は、図５に示すように、下半部を螺旋状に形成したスパイラル部９０とし、上半部を円筒状の遊嵌部９１として構成し、スパイラル部９０を水田の圃場面に略垂直方向に螺入埋設して圃場に立設固定している。
【００５５】
圃場に立設固定したアンカ―ボルト９の遊嵌部９１は、図２及び図５に示すように、フロート樹脂板４に貫通立設したガイドパイプ５０の下方開口部より該パイプ５０内へ挿入遊嵌している。
【００５６】
このように構成することにより、フロート樹脂板４は、水平浮動することなく浮沈動作をアンカ―ボルト９に沿って垂直方向で浮沈作動することができる。
【００５７】
また、本実施形態に係るアンカ―ボルト９の略中央部には、図６に示すように、フロート樹脂板４の下方位置でワイヤ３を略直角方向に転換するための遊動輪９３が開閉ロッド６１方向に向けて突設されている。
【００５８】
遊動輪９３は、軸受９６とプーリ９５とで構成した滑車である。遊動輪９３は、アンカ―ボルト９の略中央部に囲繞した帯金具であるステー９４を介して開閉ロッド６１方向、すなわちワイヤ３の緊張伸縮方向に突設されている。従って、遊動輪９３で方向転換されたワイヤ３の緊張伸縮方向は、水位調節管１１の軸線方向へと規制される。
【００５９】
従って、水路パイプ１とフロート樹脂板４との間には、図１〜図３に示すように、所定長さのワイヤ３が緊張状態で張設されていることになる。
【００６０】
すなわち、ワイヤ３は、水路パイプ１の開口部１０において開口付勢された開閉自在の蓋体２と水田に浮遊するフロート樹脂板４との間に常時緊張状態で張設され、水位変動に伴うフロート樹脂板４の浮沈動作に応じて蓋体２の開蓋方向へ、或いは閉蓋方向へと緊張・弛緩作動を行うことになる。
【００６１】
なお、ワイヤ３の素材は、緊張動作に対する耐久性、水に対する耐腐食性を有した素材が好ましく、例えば、ステンレス、チタン、タングステン、亜鉛等の金属性の鋼線を採用することができる。
【００６２】
そして、本実施形態に係る水田水位調節装置Ａは、湛水作物が植栽され、湛水で満たされた水田において、水位変動に連動して自動的に蓋体の開閉作動を行いながら給止水作動及び給水量調整をする。以下、本実施形態に係る水田水位調節装置Ａの水位調節機能について詳説する。図７は、水田水位調節装置Ａの給水停止状態を示す側断面図である。図８は、水田水位調節装置Ａの給水作動状態を示す側断面図である。
【００６３】
まず、本実施形態に係る水田水位調節装置Ａを給水停止する状態について説明する。図７に示すように、水田の湛水が適正な一定水位状態にある場合には、水田水位調節装置Ａにおいては、水路パイプ１の開口部１０が蓋体２により閉塞されている。
【００６４】
すなわち、適正水位にフロート樹脂板４が浮遊している状態では、蓋体２は緊張したワイヤ３と先端の開閉ロッド６１の引張り作動により開口付勢バネ６２に抗して閉蓋状態としている。
【００６５】
換言すれば、適正水位に浮遊するフロート樹脂板４の浮力が、開口付勢バネ６２のバネ応力に抗し、開閉ロッド６１を引張ってその先端の蓋体２を開口部１０に常時水密状に密着閉塞している。
【００６６】
次いで、本実施形態に係る水田水位調節装置Ａを給水停止状態から給水作動する状態について説明する。水田の湛水が減少し水位が降下した場合は、図８に示すように水田に浮遊するフロート樹脂板４は、水面の降下の程度に応じてアンカ―ボルト９にガイドされて略鉛直方向に降下する。
【００６７】
すなわち、フロート樹脂板４の適正水位から低下水位への変位現象とその変位量がワイヤ３に伝達される。
【００６８】
ワイヤ３は、フロート樹脂板４の降下変位した分だけ下方向に弛緩する。ワイヤ３の弛緩は、遊動輪９３を通過して開口付勢バネ６２により蓋体２と共に開閉ロッド６１を蓋体開放方向に引張る。結果的に、蓋体２を水位調節管１１の開口部１０から離反させることになり蓋体２を開作動させる。
【００６９】
具体的には、ワイヤ３弛緩応力が伝達された開閉ロッド６１は、開口付勢バネ６２により支持ステー６０と閉塞蓋７により支持されながら水位調節管１１軸心に沿って前進作動することになり、開閉ロッド６１先端に連設した蓋体２は開作動し水位調節管１１の開口部１０と蓋体２との間に吐水隙間８を形成して水田水位調節装置Ａを給水状態とする。
【００７０】
換言すれば、蓋体２と支持ステー６０との間に介在して圧縮していた開口付勢バネ６２が、ワイヤ３の弛緩により解放復元することになり開閉ロッド６１と共に蓋体２を開口部１０から開口方向へ付勢する。
【００７１】
この結果、水田水位調節装置Ａは、図８に示すように、水位の低下に連動してフロート樹脂板４が降下し、水路パイプ１の開口部１０を開口状態、すなわち開口部１０と蓋体２との間に吐水隙間８を形成し、用水管１０２からの用水を水田に吐出給水する。
【００７２】
次に、本実施形態に係る水田水位調節装置Ａの給水状態から止水作動する状態について説明する。
【００７３】
フロート樹脂板４は、上述のように給水作動開始することにより徐々に上昇する水位によって浮上する。フロート樹脂板４の浮上に応じてワイヤ３は上方向に引張られて開閉ロッド６１を開口付勢バネ６２に抗して蓋体閉蓋方向に引張る。
【００７４】
すなわち、フロート樹脂板４の低下水位から適正水位への変位距離分だけワイヤ３の緊張応力となって蓋体２の閉蓋作動を行い給水停止状態をつくる。
【００７５】
換言すれば、上昇水位に応じたフロート樹脂板４の浮力が、引張したワイヤに伝わり開口付勢バネ６２の付勢に抗して開閉ロッド６１が蓋体２を閉方向に変位作動させる。
【００７６】
その結果、給水時に開口していた水路パイプ１の開口部１０が蓋体２により閉蓋して吐水隙間８が解消し、図７に示すように止水状態となる。
【００７７】
以上のように、水田水位調節装置Ａは、給水により上昇した水位変動をフロート樹脂板４により常に検出して、緊張するワイヤ３によって開閉ロッド６１を引張って適正水位となるまで蓋体２を徐々に閉蓋方向に移動する。最終的に適正水位になれば給水を完了すべく完全閉蓋状態として止水する。
【００７８】
このように水田水位調節装置Ａは、水田の水位変動をフロート樹脂板４により常に検出して、フロート樹脂板４と水路パイプ１との間に緊張したワイヤ３を介し、水位変動に連動した水路パイプ１の蓋体２の開閉動作、並びに開口程度の調整を自動的に行う。
【００７９】
本発明に係る水田水位調節装置によれば、水田の水位の増減に伴う僅かな水面変動をフロート樹脂板により感知し水田への給水や止水や給水量を水位変動に連動した適切なタイミングで自動的に行うことができる。
【００８０】
最後に、上述した各実施の形態の説明は本発明の一例であり、上述した各実施の形態以外であっても、本発明に係る技術的思想を逸脱しない範囲であれば、設計等に応じて種々の変更が可能であることは勿論である。
【符号の説明】
【００８１】
Ａ  水田水位調節装置
１  水路パイプ
２  蓋体
３  ワイヤ
４  フロート樹脂板
５  連動連結具
７  閉塞蓋
９  アンカ―ボルト
１０  開口部
５０  ガイドパイプ
５２  ワイヤ固定具
【図１】
2018170978.tif 000003
【図２】
2018170978.tif 000004
【図３】
2018170978.tif 000005
【図４】
2018170978.tif 000006
【図５】
2018170978.tif 000007
【図６】
2018170978.tif 000008
【図７】
2018170978.tif 000009
【図８】
2018170978.tif 000010